(57)【要約】【課題】フィルムリーダー及びこのフィルムリーダーに連結されているフィルムをフィルムストッカー内に確実且つ安定的に搬出することの出来るフィルム処理装置を提供する。【解決手段】フィルムリーダーに取り付けられたフィルムを処理するためのフィルム処理機構と、フィルム処理機構のフィルム搬出口にフィルムリーダー及びフィルムを搬送するための搬送機構と、搬送機構を介してフィルム搬出口から搬出されるフィルムリーダー及びフィルムを収容するためのフィルムストッカーとが備えられ、前記フィルムストッカーは、フィルム処理機構を搭載したハウジングに対して取り外し可能に設けられているフィルム処理装置において、フィルム搬出口には、搬送機構によりフィルム搬出口から搬出されるフィルムリーダーを強制的にフィルムストッカー内に送り込むためのスプロケットが設けられた。【選択図】図１
2007264205.tif 000002
【特許請求の範囲】
【請求項１】
フィルムリーダーに取り付けられたフィルムを処理するためのフィルム処理機構と、フィルム処理機構のフィルム搬出口にフィルムリーダー及びフィルムを搬送するための搬送機構と、搬送機構を介してフィルム搬出口から搬出されるフィルムリーダー及びフィルムを収容するためのフィルムストッカーとが備えられ、前記フィルムストッカーは、フィルム処理機構を搭載したハウジングに対して取り外し可能に設けられているフィルム処理装置において、フィルム搬出口には、搬送機構によりフィルム搬出口から搬出されるフィルムリーダーを強制的にフィルムストッカー内に送り込むための強制搬送手段が設けられていることを特徴とするフィルム処理装置。
【請求項２】
フィルムリーダーには搬送用係合孔が設けられる一方、強制搬送手段が前記搬送用係合孔に噛合うスプロケットから構成されていることを特徴とする請求項１に記載のフィルム処理装置。
【発明の詳細な説明】
【技術分野】
【０００１】
本発明は、フィルムリーダーを介してフィルムを搬送するための搬送機構と、フィルム処理機構で処理されたフィルムを収容するためのフィルムストッカーとが備えられたフィルム処理装置に関する。
【背景技術】
【０００２】
一般にフィルム処理装置は、現像処理部及びこの現像処理部の下流側に隣接する乾燥処理部を備えるフィルム処理機構と、フィルム処理機構で処理を終えたフィルムを収容するためのフィルムストッカーと、フィルム処理機構からフィルムストッカーに向けてフィルムを搬送するための搬送機構とが備えられ、現像処理部で現像処理されたフィルムは、搬送機構により搬送されながら乾燥処理部において熱風により乾燥処理された後、フィルムストッカーに搬出されるようになっている。
【０００３】
以上のフィルム処理装置では、フィルムを搬送機構で搬送するに際して、フィルムリーダーを別途形成して、このフィルムリーダーにフィルムの先端部を取り付け、フィルムリーダーを搬送機構で搬送することにより、フィルムが現像処理部から乾燥処理部を通ってフィルムストッカーに搬送されるようになっている。
【０００４】
フィルムストッカーは、フィルム処理装置における現像処理部のハウジング上にセットされているものであるが、前記したハウジングの上壁には、ハウジング内の現像処理部のメンテナンスを行なうための開閉蓋が開閉可能に設けられていることから、このハウジング上にセットされるフィルムストッカーは、メンテナンス時の開閉蓋の開閉を考慮して、ハウジングに対して取り外し可能に取り付けられている。
【０００５】
また乾燥処理部のフィルム搬出口には、搬送機構の最後端となる搬出ローラー対が配置されており、この搬出ローラー対は、駆動ローラーと、上下方向に移動可能に設けられて自重により駆動ローラーに圧接するようにした従動ローラーとから構成されている。
【０００６】
フィルムストッカーは、フィルム搬出口から排出されたフィルムリーダーを収納するためのフィルムリーダー収納室と、フィルムリーダーに連結されたフィルムを収納するためのフィルム収納室とが備えられて、フィルム収納室はフィルム搬出口とフィルムリーダー収納室との間に形成されると共に、フィルム収納室の上方には、フィルムリーダーの幅方向両端部を支持しながらフィルムリーダーをフィルムリーダー収納室に案内するためのレール状のガイド部が設けられている。
【０００７】
(特許文献1参照)
ところで、以上のフィルム処理装置では、例えば、フィルムストッカーがハウジングに対して所定位置に正確に装填されていない場合などにおいて、搬送機構により搬送されてくるフィルムリーダーの先端がフィルムストッカーの内面に接触するなどして、搬出ローラー対によるフィルムリーダーの搬出が困難となり、その結果、搬送機構によって後方から搬送されてくるフィルムが、フィルム搬出口部分で詰まるなどの問題がある。
【０００８】
以上の不具合に対しては、搬送機構の前記搬出ローラー対を構成する従動ローラーをスプリングにより強制的に駆動ローラー側に押し付けるようにして、搬出ローラー対の圧着力を強くする方法も考えられるが、通常のフィルム処理装置の搬送機構では、下流側の搬送ローラーほど搬送速度が速くなるように設計されていることから、搬出ローラー対の圧着力を強くした場合には、この搬出ローラー対によりフィルムリーダーなどが引っ張られるなどしてフィルムに不用意に傷がつく虞が生じる。
【特許文献１】特開２００３−５３４０号公報
【発明の開示】
【発明が解決しようとする課題】
【０００９】
本発明は以上の実情に鑑みて開発したものであって、目的とするところは、フィルムリーダー及びこのフィルムリーダーに連結されているフィルムをフィルムストッカー内に確実且つ安定的に搬出することの出来るフィルム処理装置を提供することにある。
【課題を解決するための手段】
【００１０】
以上の目的を達成するために、請求項１に記載の発明は、フィルムリーダーに取り付けられたフィルムを処理するためのフィルム処理機構と、フィルム処理機構のフィルム搬出口にフィルムリーダー及びフィルムを搬送するための搬送機構と、搬送機構を介してフィルム搬出口から搬出されるフィルムリーダー及びフィルムを収容するためのフィルムストッカーとが備えられ、前記フィルムストッカーは、フィルム処理機構を搭載したハウジングに対して取り外し可能に設けられているフィルム処理装置において、フィルム搬出口には、搬送機構によりフィルム搬出口から搬出されるフィルムリーダーを強制的にフィルムストッカー内に送り込むための強制搬送手段が設けられていることを特徴とするものである。
【００１１】
請求項２に記載の発明は、請求項１に記載のフィルム処理装置において、フィルムリーダーには搬送用係合孔が設けられる一方、強制搬送手段が前記搬送用係合孔に噛合うスプロケットから構成されていることを特徴とするものである。
【発明の効果】
【００１２】
請求項１に記載の発明によれば、搬送機構により搬送されるフィルムリーダーの先端がフィルムストッカーの内面に接触するなどして、搬送機構によるフィルムリーダーの搬出が困難となっても、強制搬送手段により、フィルムリーダーが強制的にフィルムストッカー内に送り込まれるので、フィルムリーダー及びこのフィルムリーダーに連結されているフィルムが、フィルム搬出口部分で詰まるようなことなくフィルムストッカー内に確実且つ安定的に送り込むことが出来る。
【００１３】
また請求項２に記載の発明によれば、請求項１に記載の発明の効果に加え、搬送用係合孔に噛合うスプロケットにより、フィルムリーダーをより確実にフィルムストッカー内に送り込めるので、フィルムリーダー及びフィルムをより一層フィルムストッカー内に確実且つ安定的に送り込むことが出来る。
【発明を実施するための最良の形態】
【００１４】
図１は本発明にかかるフィルム処理装置の一例を概略的に示したものであって、このフィルム処理装置は、フィルムＦを装填するフィルム装填部２、フィルム装填部２から繰り出されるフィルムＦを現像処理するための現像処理部３、現像処理部３で現像処理されたフィルムＦを乾燥処理するための乾燥処理部４が備えられたフィルム処理機構１と、フィルムリーダーＦＲに取り付けられたフィルムＦを前述のフィルム処理機構１のフィルム装填部２から現像処理部３及び乾燥処理部４を通ってフィルム搬出口１１に搬送するための搬送機構５と、搬送機構５を介してフィルム処理機構１のフィルム搬出口１１から搬出されるフィルムリーダーＦＲ及びフィルムＦを収容するためのフィルムストッカー６が備えられている。
【００１５】
フィルム処理機構１及び搬送機構５は、ハウジング１０内に搭載され、フィルムストッカー６は、ハウジング１０に設けられたフィルム搬出口１１の外方において前記ハウジング１０の上壁面に対して取り外し可能に設けられている。
【００１６】
フィルム装填部２には、駆動側ローラー２１と、パトローネＰから引き出したフィルムＦの後端を切断するフィルムカッター２２と、フィルムカッター２２の一方の刃を往復移動させるフィルム切断用ソレノイド２３と、フィルムＦを駆動側ローラー２１に圧接させるための圧接側ローラー２４と、圧接側ローラー２４を上下に移動させて、フィルムＦを駆動側ローラー２１に圧接する状態と圧接を開放する状態とに切換える圧接ソレノイド２５とが備えられており、パトローネＰから引き出されたフィルムＦは、駆動側ローラー２１と圧接側ローラー２４とに挟持された状態で搬送されて、現像処理部３に送り込まれるようになっている。
【００１７】
フィルムＦは、前述のフィルム装填部２に装填される前に、図４に示すように、多数の搬送用係合孔Ｈが形成されているフィルムリーダーＦＲにフィルムＦの先端部を連結するようにしている。
【００１８】
尚、フィルムリーダーＦＲには、２本のフィルムＦが取り付けられるようになっている。
【００１９】
フィルムリーダーＦＲの搬送用係合孔Ｈは、搬送機構５を構成する複数のスプロケット５１の歯に噛み合うようになっており、スプロケット５１の歯をフィルムリーダー６の搬送用係合孔Ｈに噛み合わせて、スプロケット５１を回転駆動させることにより、フィルムリーダーＦＲとともにフィルムＦが、現像処理部３から乾燥処理部４を通ってフィルム搬出口１１に搬送されるようになっている。
【００２０】
現像処理部３には、現像，漂白，定着等の処理を順次行なうため、現像液、漂白液、定着液、安定液などの各種処理液が各別に充填された複数の処理液槽３１と、これら各処理液槽３１内にセットされる処理液側搬送ラック３２とが備えられている。
【００２１】
乾燥処理部４には、図１に示すように、ヒータで加熱した空気をフィルム搬送径路に向けて熱風として送る送風ファン４１と、フィルムＦを乾燥しながら搬送するための乾燥側搬送ラック４２とが備えられており、フィルムＦは、乾燥処理部４内において搬送されながら送風ファン４１から吹き出される熱風により乾燥された後、フィルムストッカー５に搬出されるようにしている。
【００２２】
尚、前述の各処理液側搬送ラック３２及び乾燥側搬送ラック４２が搬送機構５の一部を構成し、これら処理液側搬送ラック３２及び乾燥側搬送ラック４２にも、フィルムリーダー６搬送用の複数のスプロケットが備えられている。
【００２３】
またハウジング１０内におけるフィルム搬出口１１近くには、搬送機構５の終端を構成するスプロケット５１と搬送ローラー対５２とが設けられている。
【００２４】
搬送ローラー対５２は、図３にも示すように、駆動装置（図示せず）により回転駆動する駆動ローラー５３と、自重により駆動ローラー５３に圧接して共回りする従動ローラー５４とから構成されている。
【００２５】
フィルムストッカー６は、図１及び図２に示すように、フィルム処理機構１から送られて来たフィルムリーダーＦＲを収納するためのフィルムリーダー収納室６１とフィルムリーダーＦＲに連結されたままのフィルムＦを収納するためのフィルム収納室６２とが備えられている。
【００２６】
そしてフィルム収納室６２の上部には、フィルムリーダーＦＲの幅方向両端部を支持しながらフィルムリーダーＦＲをフィルムリーダー収納室６１に案内するためのレール状のガイド部６３が設けられ、またフィルムリーダー収納室６１には、フィルムリーダーＦＲの進行方向先端部が下方となりフィルムＦが接続されている後端部が上方となるようにフィルムリーダーＦＲを受け止めるための受け止め壁６４が備えられている。
【００２７】
以上のフィルム処理装置において、本発明は、搬送機構５によりフィルム搬出口１１から搬出されるフィルムリーダーＦＲを強制的にフィルムストッカー６内に送り込むための強制搬送手段７を設けたのである。
【００２８】
即ち図１〜図３に示す実施形態では、強制搬送手段７として、フィルムリーダーＦＲの搬送用係合孔Ｈに噛合う複数の歯７１が備えられたスプロケット７０を用い、このスプロケット７０をフィルム搬送口１１における搬送ローラー対５２よりも外方に配置し、このスプロケット７０を搬送ローラー対５２の駆動装置に連動させて、スプロケット７０による搬送速度を搬送ローラー対５２による搬送速度と同期させ、搬送ローラー対５２により搬送されて来るフィルムリーダーＦＲをこのスプロケット７０を介して強制的にフィルムストッカー６内に送り込めるようにしたのである。
【００２９】
斯くして以上の構成から成るフィルム処理装置では、搬送機構５を介してフィルム処理機構１からフィルム搬出口１１に送り出されてくるフィルムリーダーＦＲは、フィルム搬出口１１からフィルムストッカー６のフィルムリーダー収容室６１に向けてガイド部６３に沿って誘導されるのであって、フィルムリーダー６が搬送機構５終端の搬送ローラー対５２から搬出された段階で、続いてフィルムリーダー６に取り付けられたフィルムＦも搬送ローラー対５２で搬出されるのである。
【００３０】
そして、フィルムリーダーＦＲが、搬送ローラー対５２により搬出されるフィルムＦの押出し力でガイド部６３に沿って移動してフィルムリーダー収納室６１に収納されるとともに、フィルムＦは、フィルムリーダーＦＲから垂れ下がった状態でフィルム収納室６２に収納されるのである。
【００３１】
ところで、フィルムリーダーＦＲがフィルム搬出口１１から搬出されるに際して、例えばフィルムリーダーＦＲの先端がフィルムストッカー６の内側面に接触するなどして、搬送機構５でのフィルムリーダーＦＲの搬出が困難となっても、以上のフィルム処理装置では、フィルムリーダーＦＲの搬送用係合孔Ｈに噛合うスプロケット７０の回転駆動により、フィルムリーダーＦＲがフィルム搬出口１１から強制的に搬出されるので、フィルムリーダーがフィルムストッカー６内のフィルムリーダー収容室６１に、またフィルムＦがフィルムストッカー６内のフィルム収容室６２にそれぞれ確実且つ安定的に送り込まれ、フィルムＦがフィルム搬出口１１で詰まるなどして傷つくようなことが抑制される。
【００３２】
以上の実施形態では、強制搬送手段７としてスプロケット７０を用いたが、これに限定されるものではなく、搬送ローラー対から構成してもよいし、あるいは、一対の無端ベルトによるベルト搬送でもよい。
【図面の簡単な説明】
【００３３】
【図１】本発明にかかるフィルム処理装置の一例を示す説明図。
【図２】同、要部の拡大平面図。
【図３】同、要部の拡大側面図。
【図４】フィルムをフィルムリーダーに取り付けた状態を示す説明図。
【符号の説明】
【００３４】
１     フィルム処理機構
１１   フィルム搬出口
２     フィルム装填部
３     現像処理部
４     乾燥処理部
５      搬送機構
５２    搬送ローラー対
６      フィルムストッカー
６１    フィルムリーダー収容室
６２    フィルム収容室
７      強制搬送手段
７０    スプロケット
７１    歯
Ｆ      フィルム
ＦＲ    フィルムリーダー
Ｈ      搬送用係合孔
【図１】
2007264205.tif 000003
【図２】
2007264205.tif 000004
【図３】
2007264205.tif 000005
【図４】
2007264205.tif 000006